(57)【要約】【課題】充填用，排出用の開口に筒状ガイド部を取り付け先端にフランジ部を設けたフレキシブルコンテナにおいて、フランジ部を容易に作製し得、フランジ部の脱落や筒状ガイド部の損傷を防止し得るフレキシブルコンテナを提供する。【解決手段】筒状ガイド部５先端側が、内側の筒状シート21を外側の筒状シート22で覆った二重構造となってその強度が増すので、折り曲げ箇所30に穴があくような虞れが少ない。内外の筒状シート21,22先端に取り付けた環状シート23,24を上下に重ね、上下のリング25a〜25cで挟んで固定するので、フランジ部７を容易に作製し得ると共に、リング25a〜25cが脱落する虞れが少ない。【選択図】  図２
2004203468.tif 000002
【特許請求の範囲】
【請求項１】
コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に取り付けた基端側筒部と、該基端側筒部に取り付けた先端側筒部からなり、該先端側筒部を、前記基端側筒部の先端開口縁に接合した内側の筒状シートと、該内側の筒状シートを覆う外側の筒状シートと、これら内外の筒状シートの先端周縁に接合され上下に重なる環状シートから形成すると共に、
前記フランジ部が、前記上下の環状シートを上下のリングで挟み、これらリングを相互に固定して形成されているフレキシブルコンテナ。
【請求項２】
コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に取り付けた基端側筒部と、該基端側筒部に取り付けた先端側筒部からなり、該先端側筒部を、前記基端側筒部の先端開口縁に接合した内外二枚重ねの筒状シートと、これら内外の筒状シートの先端接合縁に接合した環状シートから形成すると共に、
前記フランジ部が、前記環状シートを上下のリングで挟み、これらリングを相互に固定して形成されているフレキシブルコンテナ。
【請求項３】
前記基端側筒部が、既存のフレキシブルコンテナに備えられたフランジ付き筒状ガイド部を中途部で切断したものであって、その切断開口縁に前記先端側筒部を接合して、既存のフレキシブルコンテナにおける筒状ガイド部の先端側を補修してなるものである請求項１又は２記載のフレキシブルコンテナ。
【請求項４】
コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に接合した内側の筒状シートと、該内側の筒状シートを覆う外側の筒状シートと、これら内外の筒状シートの先端周縁に接合され上下に重なる環状シートから形成され、
前記フランジ部が、前記上下の環状シートを上下のリングで挟み、これらリングを相互に固定して形成されているフレキシブルコンテナ。
【請求項５】
コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に接合した内外二枚重ねの筒状シートと、これら内外の筒状シートの先端接合縁に接合した環状シートから形成され、
前記フランジ部が、前記環状シートを上下のリングで挟み、これらリングを相互に固定して形成されているフレキシブルコンテナ。
【発明の詳細な説明】
【０００１】
【発明の属する技術分野】
本発明は、粉体，粒体等の運搬に使用される、ゴム布やターポリン等の可撓性シートからなるフレキシブルコンテナに関する。
【０００２】
【従来の技術】
従来、この種フレキシブルコンテナとして、コンテナ本体の上下面に設けた充填用，排出用の開口に筒状のガイド部を取り付けて充填路，排出路を形成したものが知られている（例えば特許文献１、特許文献２参照）。
【０００３】
【特許文献１】
実開昭６０−１１２４８９号公報
【特許文献２】
特開平５−３０５９９３号公報
【０００４】
また、例えば図７に示すように、コンテナ本体１０１の充填用又は排出用の開口１０２に筒状ガイド部１０３を取り付けると共に、その筒状ガイド部１０３の先端開口縁にフランジ部１０４を設けて充填路又は排出路を形成し、そのフランジ部１０４を、充填用又は排出用のタンクの接続口２０１に設けたフランジ部２０２にクランプなどの治具２０３で連結して、タンク内の収容物をコンテナ本体１０１に充填する際、若しくは、コンテナ本体１０１内の収容物をタンクに排出する際に、粉粒状収容物が外部に飛散しないようにしたフレキシブルコンテナも知られている。
【０００５】
前記筒状ガイド部１０３はコンテナ本体１０１と同様の可撓性シート、例えばターポリン等により筒状に形成され、その基端開口の周縁を外側へ折り曲げその折り曲げ縁１０５を前記開口１０２の周縁に溶着し、先端開口の周縁を外側に折り曲げその折り曲げ縁１０６に硬質材料からなるリング１０７を縫着１０８し、さらにリング１０９，１１０を重ねて縫着１１１した後、ターポリン等からなるカバー１１２でそれらリング１０７，１０９，１１０を覆って縫着１１３してフランジ部１０４を形成している。
【０００６】
【発明が解決しようとする課題】
ところで、前述した従来のフレキシブルコンテナにおいては、筒状ガイド部１０３が一枚の可撓性シートからなるため、先端開口側の折り曲げ縁１０６の幅が小さくなってしまい、リング１０７を取り付ける際に、その折り曲げ縁１０６を折り曲げてリング１０７に仮止め（縫着１０８）した上で、リング１０７，１０９，１１０を固定（縫着１１１）しなければならず、フランジ部１０４の製作に手間がかかるという不具合があった。また、前記折り曲げ縁１０６が小幅であると共にリング１０７に対する縫着１０８のみで固定されるので、使用中に折り曲げ縁１０６がリング１０７から外れてしまい、リング１０７，１０９，１１０が脱落する虞れがあった。
また、この種フレキシブルコンテナにおいては、タンク内の粉粒状収容物をコンテナ本体１０１に充填する際、若しくは、コンテナ本体１０１内の粉粒状収容物をタンクに排出する際、収容物とリング１０７，１０９，１１０の間に筒状ガイド部１０３が挟まれるようになるが、筒状ガイド部１０３が一枚の可撓性シートからなる従来のフレキシブルコンテナでは、該可撓性シートが収容物、リング１０７，１０９，１１０と擦れてシートに穴があく虞れがあった。特に、前記可撓性シートの外面におけるリング１１０の内周との当接箇所１１４において擦れが顕著であり、また、収容物が金属粉などの硬質材料である場合は、筒状ガイド部１０３の先端開口側の折り曲げ箇所１１５での擦れが激しく、これらの箇所に穴があいた場合、粉粒状収容物が外部に飛散する虞れがあった。
【０００７】
本発明はこのような従来事情に鑑みてなされたものであり、その目的とする処は、充填用又は排出用の開口に筒状ガイド部を取り付けその先端開口縁にリングを取り付けてフランジ部を形成した、可撓性シートからなるフレキシブルコンテナにおいて、前記フランジ部を容易に作製し得ると共に、使用中に筒状ガイド部からリングが外れてしまったり、筒状ガイド部に穴があいてしまうような虞れのない、製作性に優れると共に製品としての信頼性が高いフレキシブルコンテナを提供することにある。
【０００８】
【課題を解決するための手段】
以上の目的を達成するために、本願第一発明は、コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に取り付けた基端側筒部と、該基端側筒部に取り付けた先端側筒部からなり、該先端側筒部を、前記基端側筒部の先端開口縁に接合した内側の筒状シートと、該内側の筒状シートを覆う外側の筒状シートと、これら内外の筒状シートの先端周縁に接合され上下に重なる環状シートから形成すると共に、
前記フランジ部が、前記上下の環状シートを上下のリングで挟み、これらリングを相互に固定して形成されていることを特徴とする。
【０００９】
このような構成によれば、筒状ガイド部の先端側が、内側の筒状シートを外側の筒状シートで覆った二重構造となり、該筒状ガイド部が一枚の可撓性シートからなる場合に比べその強度が増すので、収容物の充填時，排出時などに筒状ガイド部が収容物やリングと擦れたとしても、その擦れ部分に穴があくような虞れが少ない。
また、前記内外の筒状シートの先端に環状シートを別途取り付けてその幅を拡張し、その環状シートを上下に重ねこれを上下のリングで挟んだ上でそれらをまとめて固定してフランジ部が形成されるので、一枚の可撓性シートからなる筒状ガイド部の先端開口縁を外側に折り曲げその小幅な折り曲げ縁を下側のリングに一旦仮止めした後に上下のリングを固定する従来の構成に比べ、リングに対する環状シートの仮止めを不要としてフランジ部を容易に作製することができる。且つ、上下のリングで上下の環状シートを挟持する積層形態として筒状シートに対し夫々のリングを強固に固定し得るので、使用中にリングが脱落するうような虞れを少なくすることができる。
【００１０】
ところで、前記第一発明において、内外の筒状シートは、環状シートを重ねてリングで固定することでその先端側が相互に接合されており、且つ内側の筒状シート基端は基端側筒部に接合されるものの、外側の筒状シート基端はどこにも接合されない遊端となる。このような構成においては、先端側筒部を容易に作製し得るという利点を奏するものの、内外の筒状シート間に隙間が生じ異物や収容物等が入り込む可能性が残る。
【００１１】
よって、本願第二発明では、コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に取り付けた基端側筒部と、該基端側筒部に取り付けた先端側筒部からなり、該先端側筒部を、前記基端側筒部の先端開口縁に接合した内外二枚重ねの筒状シートと、これら内外の筒状シートの先端接合縁に接合した環状シートから形成すると共に、
前記フランジ部が、前記環状シートを上下のリングで挟み、これらリングを相互に固定して形成されていることを特徴とする。
【００１２】
このような構成とした場合、前記第一発明による作用効果に加えて、内外の筒状シートが、その先端側と基端側を相互に接合して一体化した二枚重ねのシートとなるので、内外の筒状シート間に異物や収容物等が入り込む可能性は殆どなくなる。
また、これら筒状シートの先端側では、両筒状シート先端を接合し且つ該接合縁に一枚の環状シートを取り付け、該環状シートを上下のリングで挟んだ上でそれらをまとめて固定した構成となるので、環状シートを二枚用いる第一発明に比べ、先端側筒部の作製に係る手間とコストをより低減しながら、第一発明と同様の作用効果を得ることができる。
【００１３】
前記第一，第二発明は、新規に作成するフレキシブルコンテナに前述の構成を採用することもできるが、本願第三発明のように、既存のフレキシブルコンテナの補修時に採用することが好ましい。
【００１４】
すなわち、本願第三発明は、前記第一，第二発明において、前記基端側筒部が、既存のフレキシブルコンテナに備えられたフランジ付き筒状ガイド部を中途部で切断したものであって、その切断開口縁に前記先端側筒部を接合して、既存のフレキシブルコンテナにおける筒状ガイド部の先端側を補修してなるものであることを特徴とする。
【００１５】
前記第一，第二発明の主要部を新規に作成するフレキシブルコンテナに採用する場合は、本願第四，第五発明の構成とすることが好ましい。
【００１６】
すなわち、本願第四発明は、コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に接合した内側の筒状シートと、該内側の筒状シートを覆う外側の筒状シートと、これら内外の筒状シートの先端周縁に接合され上下に重なる環状シートから形成され、
前記フランジ部が、前記上下の環状シートを上下のリングで挟み、これらリングを相互に固定して形成されていることを特徴とする。
【００１７】
また本願第五発明は、コンテナ本体の上下に充填用又は排出用の開口を設け、少なくとも何れか一方の開口に筒状ガイド部を取り付けると共に、該筒状ガイド部の先端開口縁にフランジ部を設けたフレキシブルコンテナであって、
前記筒状ガイド部が、前記開口に接合した内外二枚重ねの筒状シートと、これら内外の筒状シートの先端接合縁に接合した環状シートから形成され、
前記フランジ部が、前記環状シートを上下のリングで挟み、これらリングを相互に固定して形成されていることを特徴とする。
【００１８】
【発明の実施の形態】
以下、本発明に係るフレキシブルコンテナの実施形態の例を図面を参照して説明する。
図１に示すフレキシブルコンテナＡは本願第一発明に係り、このフレキシブルコンテナＡは、ターポリン等の可撓性シートにより略角筒状もしくは円筒状に形成したコンテナ本体１の上下面に、充填用もしくは排出用の開口２，３を設け、それら開口２，３に筒状ガイド部４，５を取り付けると共に、夫々の筒状ガイド部４，５の先端開口縁にフランジ部６，７を設けて、充填用もしくは排出用の通路８，９を形成したものである。
【００１９】
またこのフレキシブルコンテナＡは、主に充填用として使用される開口２に取り付けられている筒状ガイド部４とフランジ部６を、図７に示す従来の筒状ガイド部１０３、フランジ部１０４と同様の構成とする一方、主に排出用として使用される開口３に取り付けられている筒状ガイド部５とフランジ部７において、本発明の構成を採用したものである。
【００２０】
すなわち、本例のフレキシブルコンテナＡは作製当初、充填側，排出側の夫々に、図７に示す従来例と同様の構成の筒状ガイド部、フランジ部が取り付けられていたが、長期の使用に伴い排出側の筒状ガイド部若しくはフランジ部を交換する必要が生じたため、本発明に係る筒状ガイド部５とフランジ部７にて補修したものである。
充填側の筒状ガイド部４とフランジ部６は、前述の筒状ガイド部１０３、フランジ部１０４と同様な構成のため図示及び説明を省略し、以下、排出側の筒状ガイド部５、フランジ部７について、図２を参照して詳述する。
【００２１】
筒状ガイド部５は、排出用の開口３に取り付けられていた既存の筒状ガイド部を、その長さ方向中途部で切断した基端側筒部１０と、この基端側筒部１０に取り付けた先端側筒部２０からなっている。
基端側筒部１０は、コンテナ本体１と同様の可撓性シートからなり、その基端開口縁１１を外側に折り曲げ開口３に溶着して、コンテナ本体１に取り付けられている。
【００２２】
先端側筒部２０は、内外の筒状シート２１，２２と、上下の環状シート２３，２４からなり、その先端にフランジ部７が形成されている。
【００２３】
内側の筒状シート２１は、コンテナ本体１と同様の可撓性シートからなり、その基端開口縁２１ａを基端側筒部１０の先端開口縁（切断開口縁）１２に溶着して、基端側筒部１０に一体的に接続されている。またこの筒状シート２１の先端開口縁２１ｂには、環状シート２３が取り付けられている。
【００２４】
外側の筒状シート２２は、コンテナ本体１と同様の可撓性シートにより所定の寸法に形成され、内側の筒状シート２１の先端側の半部を覆っている。またこの筒状シート２２の先端開口縁２２ａには環状シート２４が取り付けられ、後端開口縁２２ｂは遊端縁となっている。
【００２５】
環状シート２３，２４は、前記内外の筒状シート２１，２２の先端開口縁の外側への折り曲げ寸法を拡張するためのもので、コンテナ本体１と同様の可撓性シートにより、後述するリング２５ａ，２５ｂ，２５ｃと同程度の幅をもって形成され、その内周部分を溶着して内外の筒状シート２１，２２の先端開口縁２１ｂ，２２ａに一体的に接続されている。
【００２６】
フランジ部７は、上下に重なる環状シート２３，２４を下側のリング２５ａと上側の二枚のリング２５ｂ，２５ｃで挟み、それら上下のリング２５ａ〜２５ｃの内周側を二枚の環状シート２３，２４と共に縫着２６し、さらにこれらリング２５ａ〜２５ｃを覆うように被せたカバー２７の外側から、上下のリング２５ａ〜２５ｃ、二枚の環状シート２３，２４と共にカバー２７の上下面を縫着２８して形成されている。前記縫着２６箇所は、内外の筒状シート２１，２２の先端開口縁２１ｂ，２２ａと環状シート２３，２４との溶着箇所とし、前記縫着２８箇所はその外側で且つカバー２７の開口部２７ａ寄りであることが好ましい。尚、前記縫着２６，２８はビス止め等の適宜固定手段に変更してもよい。
【００２７】
カバー２７は、コンテナ本体１と同様の可撓性シートにより断面コ字形の環状に形成され、縫着２６により積層一体化されたリング２５ａ〜２５ｃとその間に挟まれた環状シート２３，２４を覆い、リング２５ａ〜２５ｃや環状シート２３，２４間への異物の混入を防止している。また本例では、カバー２７の縫着２８を前記したように開口部２７ａ寄りとしてカバー２７外周寄りの縫着を不要とし、余分な縫着作業を無くしている。
【００２８】
このような構成になる本例のフレキシブルコンテナＡによれば、筒状ガイド部５の先端側が、内側の筒状シート２１を外側の筒状シート２２で覆った二重構造となり、一枚の可撓性シートからなる従来の筒状ガイド部１０３に比べその強度が増す。よって、コンテナ本体１内の収容物が金属粉等の硬質材料であって、この収容物を排出する際に、筒状ガイド部５における先端開口側の折り曲げ箇所３０に収容物が当ったて擦れたり、リング２５ｃとの当接箇所３１が擦れたとしても、これらの箇所３０，３１に穴があくような虞れが少ない。
また、内外の筒状シート２１，２２の先端に取り付けた環状シート２３，２４を上下に重ね、これらを上下のリング２５ａ〜２５ｃで挟んだ状態で、環状シート２３，２４とリング２５ａ〜２５ｃをまとめて縫着２６することが出来るので、一枚の可撓性シートからなる筒状ガイド部１０３の先端開口縁を外側に折り曲げその折り曲げ縁１０６をリング１０７に仮止めした後にリング１０７，１０９，１１０を固定する従来の構成に比べ、フランジ部７を容易に作製することができる。
また、内外の筒状シート２１，２２の先端縁が環状シート２３，２４で拡張され、この環状シート２３，２４を上下のリング２５ａ〜２５ｃで挟んでフランジ部７が形成されるので、筒状シート２１，２２と各リング２５ａ〜２５ｃとの連結がより強固になり、使用中にリング２５ａ〜２５ｃが脱落してしまうような虞れが少なくなる。
【００２９】
よって、長期の使用に伴い筒状ガイド部の先端開口縁に穴があいたりフランジ部が取れかかったようなフレキシブルコンテナにおいて、図３に示すように、その筒状ガイド部の先端側の半部を切断して、フランジ部７を備えた筒状ガイド部５に補修することで、永年の使用に耐え得る製品とすることができた。
【００３０】
次に、本願第二発明の実施形態例について、図４を参照しながら説明するが、この例のフレキシブルコンテナの基本的構成は前述したフレキシブルコンテナＡと同様であるため、図中に前記と同一の符号を付すなどして重複する図示と説明を一部省略し、特徴点のみ以下に述べる。
【００３１】
この例の筒状ガイド部５’を構成する先端側筒部２０’は、内外の筒状シート２１，２２’と、一枚の環状シート２３からなり、その先端にフランジ部７’が形成されている。
【００３２】
外側の筒状シート２２’は、内側の筒状シート２１の全域を覆うことができる寸法に形成され、その先端開口縁２２ａ’、基端開口縁２２ｂ’を、夫々内側の筒状シート２１の先端開口縁２１ｂ、基端開口縁２１ａに溶着して、内側の筒状シート２１と一体化されている。
【００３３】
環状シート２３は、前記のようにして内外に重なる状態で一体化された両筒状シート２１，２２’の先端接合縁（先端開口縁２１ｂ，２２ａ’同士を溶着した部分）にその内周部分を溶着して、内外の筒状シート２１，２２’に一体的に接続されている。
【００３４】
フランジ部７’は、前記環状シート２３を下側のリング２５ａと上側の二枚のリング２５ｂ，２５ｃで挟み、それら上下のリング２５ａ〜２５ｃの内周側を縫着２６し、さらにこれらリング２５ａ〜２５ｃの外側から被せたカバー２７の外側から、上下のリング２５ａ〜２５ｃを縫着２８して形成されている。前記縫着２６箇所は、内外の筒状シート２１，２２’の先端開口縁２１ｂ，２２ａ’と環状シート２３との溶着箇所とし、縫着２８箇所はその外側で且つカバー２７の開口部２７ａ寄りであることが好ましい。
【００３５】
カバー２７は、縫着２６により積層一体化されたリング２５ａ〜２５ｃとその間に挟まれた環状シート２３を覆い、リング２５ａ〜２５ｃと環状シート２３間への異物の混入を防止している。
【００３６】
このような構成になるこの例のフレキシブルコンテナによれば、筒状ガイド部５’の先端側が内外の筒状シート２１，２２’を重ねた二重構造となるので、前記実施形態同様、筒状ガイド部５’の先端開口側の折り曲げ箇所３０やリング２５ｃとの当接箇所３１等に穴があくような虞れが少ない。
また、内外の筒状シート２１，２２’の先端に取り付けた環状シート２３を上下のリング２５ａ〜２５ｃで挟んでフランジ部７’が形成されるので、前記実施形態同様、該フランジ部７’を容易に作製することができる。
また、内外の筒状シート２１，２２’の先端縁が環状シート２３で拡張され、この環状シート２３を上下のリング２５ａ〜２５ｃで挟んでフランジ部７’が形成されるので、前記実施形態同様、使用中にリング２５ａ〜２５ｃが脱落してしまうような虞れが少なくなる。
【００３７】
よって、長期の使用に伴い筒状ガイド部やフランジ部を交換する必要が生じたフレキシブルコンテナにおいて、その筒状ガイド部の先端側の半部を切断して、フランジ部７’を備えた筒状ガイド部５’に補修することで、永年の使用に耐え得る製品とすることができた。
さらに、内外の筒状シート２１，２２’が、その先端側と基端側の双方を溶着して一体化された二枚重ね状になるので、これら筒状シート２１，２２’間に異物や粉粒状収容物等が入り込む可能性は殆どなくなる。
また、これら筒状シート２１，２２’の先端側を溶着して接合し、且つその接合縁に一枚の環状シート２３を溶着し、該環状シート２３を上下のリング２５ａ〜２５ｃで挟んだ構成としているので、環状シートを二枚用いる場合に比べ、先端側筒部２０’の作製に係る手間とコストを低減することができる。
【００３８】
前述した夫々の実施形態は、既存のフレキシブルコンテナを補修する場合に本発明を採用した例であるが、以下、新規に作製されるフレキシブルコンテナに本発明を採用した例について、図５、図６を参照して説明する。
これら例のフレキシブルコンテナにおいても基本的構成は前述したフレキシブルコンテナＡと同様であるため、図中に前記と同一の符号を付すなどして重複する図示と説明を一部省略し、特徴点のみ以下に述べる。
【００３９】
図５は本願第四発明に係り、この例では、図２に示す実施形態における内側の筒状シート２１を基端側筒部１０と一体の一枚の可撓性シートから形成し、この筒状シート２１’の基端開口縁２１ａ’を外側に折り曲げて開口３に溶着することで、内側の筒状シート２１’がコンテナ本体１に直接取り付けられている。
また図６は本願第五発明に係り、この例では、図４に示す実施形態における内側の筒状シート２１を基端側筒部１０と一体の一枚の可撓性シートから形成し、この筒状シート２１”の基端開口縁２１ａ”を外側に折り曲げて開口３に溶着することで、内側の筒状シート２１”がコンテナ本体１に直接取り付けられている。
【００４０】
よって、これらの例では、新規に作製するフレキシブルコンテナにおいて、前述した夫々の実施形態同様、筒状ガイド部５，５’の先端開口側の折り曲げ箇所３０やリング２５ｃとの当接箇所３１等に穴があくような虞れが少ない、フランジ部７，７’を容易に作製することができる、使用中にリング２５ａ〜２５ｃが脱落してしまうような虞れが少なくなる、といった効果を奏する。
したがって、長期の使用によっても筒状ガイド部やフランジ部を交換する必要がなく、永年の使用に耐え得るフレキシブルコンテナを提供することができた。
【００４１】
以上、本発明の実施形態の例を図面を参照して説明したが、本発明は図示例に限定されるものではなく、請求項１〜５のいずれかに記載された技術的範疇の範囲内において種々の変更が可能であることは言うまでもない。
【００４２】
【発明の効果】
本発明に係るフレキシブルコンテナは以上説明したように構成したので、以下の効果を奏する。
【００４３】
（請求項１）
筒状ガイド部先端側を内外の筒状シートが重なる二重構造とすることで、収容物充填，排出の度に筒状ガイド部内面に収容物が当って擦れたり、筒状ガイド部外面のリングとの当接箇所が擦れたとしても、筒状ガイド部に穴があくような虞れのない程度にその強度を高めることができた。また、夫々の筒状シート先端に取り付けた環状シートを上下に重ねこれらを上下のリングで挟む積層形態となるので、フランジ部を容易に作製し得ると共に、使用中にリングが脱落するような虞れを防止することができた。
よって、収容物が金属粉等の硬質材料であったとしても、シートを継ぎ当てたり筒状ガイド部，フランジ部等を交換する必要のない、長期の使用に耐え得る信頼性の高いフレキシブルコンテナを、低コストで提供することができた。
【００４４】
（請求項２）
請求項１による効果に加えて、先端と基端を接合し一体化させた内外の筒状シートで筒状ガイド部先端側を形成したので、両筒状シート間に異物や粉粒状収容物等が入り込んでシートが損傷する虞れを防止し得た。さらに、内外の筒状シート先端に接合した一枚の環状シートを上下のリングで挟む積層形態となるので、フランジ部をより容易且つ低コストで作製することができる等、多くの効果を有するフレキシブルコンテナを提供することができた。
【００４５】
（請求項３）
長期の使用に伴い筒状ガイド部，フランジ部等を補修する必要が生じた既存のフレキシブルコンテナにおいて、請求項１，２の構成を採用することで、前述の効果を備えた永年の使用に耐え得る製品とすることができた。
【００４６】
（請求項４，５）
請求項１又は２による前述の効果を備えた、永年の使用に耐え得る新規なフレキシブルコンテナを提供することができた。
【図面の簡単な説明】
【図１】本発明に係るフレキシブルコンテナの実施形態の一例を示す斜視図。
【図２】同フレキシブルコンテナの下部の縦断面図で、要部を拡大して示す。
【図３】同フレキシブルコンテナの作製手順を示す簡略図。
【図４】本発明に係るフレキシブルコンテナの実施形態の他例を示す要部の拡大断面図。
【図５】本発明に係るフレキシブルコンテナの実施形態の他例を示す要部の拡大断面図。
【図６】本発明に係るフレキシブルコンテナの実施形態の他例を示す要部の拡大断面図。
【図７】従来のフレキシブルコンテナの下部の縦断面図。
【符号の説明】
Ａ：フレキシブルコンテナ
１：コンテナ本体
２，３：開口
５，５’：筒状ガイド部
６，７：フランジ部
１０：基端側筒部
２０，２０’：先端側筒部
２１，２１’，２１”：内側の筒状シート
２２，２２’：外側の筒状シート
２３，２４：環状シート
２５ａ，２５ｂ，２５ｃ：リング
２７：カバー
【図１】
2004203468.tif 000003
【図２】
2004203468.tif 000004
【図３】
2004203468.tif 000005
【図４】
2004203468.tif 000006
【図５】
2004203468.tif 000007
【図６】
2004203468.tif 000008
【図７】
2004203468.tif 000009